(57)【要約】【課題】本発明は、常に平面性を保持することができ、圧板支持装置全体の厚さ方向の寸法を薄くすることができるカメラのフィルム圧板支持装置を提供する。【解決手段】カメラの後蓋１００に保持される電気部品３０，３１を覆う保護カバー４０と、このカバー４０に支持され一平面状に形成された板状の圧板１と、フィルムを押圧する方向に付勢する付勢手段４３と、上記保護カバー４０に設けられ、上記圧板１の端縁部と係合する係止部４１と、上記圧板１の端縁部から同一平面上に突出し、上記係止部と係合する第１の被係止部２と、上記第１の被係止部２の近傍に上記圧板１の端縁部から同一平面上に突出し、上記係止部の側面に当接して上記圧板の位置を規定する第２の被係止部３とを具備する。【選択図】　図２
2004020753.tif 000002
【特許請求の範囲】
【請求項１】
フィルムを挿脱するための開口を開閉する後蓋と、
上記後蓋に保持される電気部品を覆う保護カバーと、
上記保護カバーに支持され、一平面状に形成された板状の圧板と、
上記圧板を上記保護カバーから離間し、フィルムを押圧する方向に付勢する付勢手段と、
上記保護カバーに設けられ、上記圧板の端縁部と係合する係止部と、
上記圧板の端縁部から同一平面上に突出し、上記圧板をフィルム面に沿うフィルム走行方向から上記保護カバーに組付けたさいに上記係止部と係合する第１の被係止部と、
上記第１の被係止部の近傍に上記圧板の端縁部から同一平面上に突出し、上記係止部の側面に当接することにより上記圧板のフィルム面に沿う方向の位置を規定する第２の被係止部と、
を具備することを特徴とするカメラのフィルム圧板支持装置。
【請求項２】
上記係止部は、上記圧板よりも、上記後蓋が取り付けられるカメラ本体側に突出しており、該カメラ本体側には、上記後蓋を閉じた状態で上記係止部が収容される逃げ部が形成されていることを特徴とする請求項１に記載のカメラのフィルム圧板支持装置。
【請求項３】
上記付勢手段は、コイルバネからなり、圧板の略四隅にそれぞれ１個づつ配されることを特徴とする請求項１に記載のカメラのフィルム圧板支持装置。
【発明の詳細な説明】
【０００１】
【発明の属する技術分野】
本発明は、カメラのフィルム圧板支持装置、詳しくは、カメラに装填され露光開口に張設された銀塩フィルムの背面を押圧してフィルムの平面性を保持するフィルム圧板の支持装置に関する。
【０００２】
【従来の技術】
従来、カメラ本体の露光開口（アパーチャ）に対向して位置し、露光開口に張設された銀塩フィルムの背面を押圧し、同フィルムの平面性を保持して、フィルムの撓みによる撮影像の歪みを防止するためのフィルム圧板は周知であり、このフィルム圧板をカメラ本体の後蓋に支持させるフィルム圧板支持装置も特開平５−３２３４４８号公報、並びに特開平１１−２４９２２３号公報等に開示されている。
【０００３】
上記特開平５−３２３４４８号公報に開示されたフィルム圧板保持装置は、樹脂製の圧板を保持するものであって、図１１に示すように、カメラの後蓋２１０と、銀塩フィルムを押圧するフィルム圧板２３０と、フィルム側に弾性変形することにより付勢する状態で上記フィルム圧板を押圧するＨ型形状を有する板バネ２２０とで構成されている。
【０００４】
上記後蓋２１０には、逆Ｌ字型の係合保持部材２４０と位置決め用突起２６０が設けられており、上記Ｈ型板バネ２２０に配設された基準位置決め穴２２０ａを前記位置決め用突起２６０に嵌入させることにより、上記Ｈ型板バネ２２０を上記後蓋２１０に位置決めし、さらにこのＨ型板バネ２２０に対して上記フィルム圧板２３０を、フィルム面に沿う方向に移動させ、同圧板２３０に配設された係合突部２５０を前記係合保持部材２４０に係止して上記板バネを挟み込むように圧板２３０を裏蓋２１０に固定し、これにより、圧板の平面性を保持する機構としている。
【０００５】
また、上記特開平１１−２４９２２３号公報に開示された圧板支持構造は、図１２に示すように、カメラ本体の後蓋３０２と、フィルムを押圧するフィルム圧板３１０と、フィルム側に弾性変形することにより付勢する状態で上記フィルム圧板３１０を押圧する王字型の板バネ３０３とで構成されている。
【０００６】
上記後蓋３０２には、スライド式係合溝部３２３、位置決め固定穴３２４が設けられており、上記板バネ３０３を固定ネジ３４２で前記位置決め固定穴３２４に固定することにより板バネ３０３を上記後蓋３０２に固定し、さらに固定された板バネ３０３に対し上記フィルム圧板３１０を、フィルム面に沿う方向から挿入し、その係合突部３３２を前記スライド式係合溝部３２３に嵌入し、上記板バネ３０３を挟み込むようにネジ３３１で固定することにより、圧板の平面性を保持する機構になっている。
【０００７】
なお、符号３１１はデートモジュール、符号３１２は親板である。
【０００８】
また、このスライド式の圧板取り付け構造では、上記ネジ３３１を取り外すだけで、後蓋３０２から圧板３１０をスライドして離脱させることができ、他の部品を取り外す必要がなく、圧板の装脱着を容易にしている。
【０００９】
【発明が解決しようとする課題】
ところが、上記特開平５−３２３４４８号公報、並びに上記特開平１１−２４９２２３号公報に開示されている圧板支持装置においては、カメラの後蓋と圧板の間に挟み込む、フィルムの平面性を保持するための弾性部材に“Ｈ型板バネ”または“王字型板バネ”を用いているため、カメラの後蓋と圧板との間に、データ表示用のＬＣＤやフレキシブル基板等の電装部品を配置するカメラでは、その電装スペースが小さくなってしまうという欠点がある。つまり、板バネによって大きな面積がとられるため、電装部品の配置スペースが小さくなってしまう。
【００１０】
また、圧板の端部に、後蓋に装着するための圧板と同一平面でない上記突起を設けているため、圧板自体の形状が複雑となり製造コストの増大を招くと共に、圧板の平面性を確保することが困難となる。特に金属製の圧板を適用する場合にこれらの問題が顕著となる。
【００１１】
さらに、圧板を取り付ける際に上記板バネを撓ませた状態で圧板をスライド移動させる必要があるため、圧板に対し過度の負荷を与える場合がある。その場合、圧板の変形を招き圧板の平面性を劣化させることもあった。
【００１２】
本発明の目的は、上記事情に鑑みてなされたものであり、カメラの後蓋に圧板を装着する際、常に平面性を保持することができ、圧板支持装置全体の厚さ方向の寸法を小さくすることができるカメラのフィルム圧板支持装置を提供することにある。
【００１３】
【課題を解決するための手段、及び作用】
上記目的を達成するために、本発明によるカメラは、フィルムを挿脱するための開口を開閉する後蓋と、上記後蓋に保持される電気部品を覆う保護カバーと、上記保護カバーに支持され、一平面状に形成された板状の圧板と、上記圧板を上記保護カバーから離間し、フィルムを押圧する方向に付勢する付勢手段と、上記保護カバーに設けられ、上記圧板の端縁部と係合する係止部と、上記圧板の端縁部から同一平面上に突出し、上記圧板をフィルム面に沿うフィルム走行方向から上記保護カバーに組付けたさいに上記係止部と係合可能な第１の被係止部と、上記第１の被係止部の近傍に上記圧板の端縁部から同一平面上に突出し、上記係止部の側面に当接することにより上記圧板のフィルム面に沿う方向の位置を規定する第２の被係止部とを具備することを特徴とし、また、上記係止部は、上記圧板よりも、上記後蓋が取り付けられるカメラ本体側に突出しており、該カメラ本体側には、上記後蓋を閉じた状態で上記係止部が収容される逃げ部が形成されていることを特徴とし、さらに、上記付勢手段は、コイルバネからなり、圧板の略四隅にそれぞれ１個づつ配されることを特徴とする。
【００１４】
【発明の実施の形態】
以下、本発明の実施の形態を図示の例によって説明する。
【００１５】
図１は本発明のフィルム圧板支持装置を有するカメラを背面側から見た斜視図である。
カメラ本体９０の背面には、前記カメラ本体９０に開閉自在に取り付けられていて、フィルムを挿脱するための開口を開閉する後蓋１００が配設されており、この後蓋１００の中央には、表示用ＬＣＤ窓１１９と各種設定モード選択釦１２０が配設され、上部にはファインダ接眼窓１２１が配設され、さらに右側部にはフィルムパトローネ確認用窓１１４と電源電池を挿脱着するための電池室開閉蓋１２３が配設されている。
【００１６】
また、前記カメラ本体９０の一側面には、前記後蓋１００を開放するための後蓋開放釦１２２が配設されている。
【００１７】
図２乃至図４は、本発明の一実施の形態を示すフィルム圧板支持装置に係り、図２は、前記後蓋１００に取り付けられたフィルム圧板支持装置の分解斜視図、図３は、上記フィルム圧板支持装置の上記後蓋への装着後の状態を示す正面図、図４は、上記後蓋に固定された保護カバーに圧板が係止された状態を詳細に示した要部拡大斜視図である。
【００１８】
図２に示すように、本実施形態の上記フィルム圧板支持装置１０は、上記後蓋１００と、この後蓋１００に取り付けられる表示用ＬＣＤ３１およびフレキシブルプリント配線基板３０（以下、ＦＰＣと称す）を覆う保護カバー４０と、圧板１とで主要部が構成されている。
【００１９】
上記後蓋１００の撮影者側とは反対側のカメラ本体側の面（内面）には、樹脂成型された後蓋内枠１１８が金属製の後蓋１００に接着固定され、そのカメラ本体側の面には、上部、および下部に、カメラ本体側に突出して形成された圧板規制用凸部１０１と、上記保護カバー４０を上記後蓋１００に固定するためのネジ穴１１６と、後述する前記圧板１を平面状に保持するための押圧用コイルバネの配置用穴１１７が配設されており、上記後蓋１００の内面の周縁部には、前記後蓋１００をカメラ本体に対して閉蓋した際、遮光部材となる口の字状のゴム枠１１５が固定され、また、上記後蓋１００の内面の左側には、上記フィルムパトローネ確認用窓１１４と前記フィルムパトローネ確認用窓１１４の遮光部材１１３とが装着され、さらに、上記後蓋１００の内面の中央部には、表示用ＬＣＤ３１と、表示用ＬＣＤ窓１１９からの漏光を防止するＬＣＤ窓用遮光部材１１２とが装着され、さらに、上記後蓋１００の内面の右側には、フィルム巻取用スプールに案内するためのフィルムガイドローラ支持板１１１と、この支持板１１１に保持されたガイドローラ１１０とが装着されている。
【００２０】
上記表示用ＬＣＤ３１およびＦＰＣ３０は、本発明における電気部品であって、上記ＦＰＣ３０には、表示用ＬＣＤ３１の電気接点、および上記設定モード選択釦１２０の操作を検出するスイッチランド等が配設されている。
【００２１】
上記保護カバー４０は、前記表示用ＬＣＤ３１、ＦＰＣ３０を後蓋１００との間に挟み込むようにして固定すると共に、その外表面を覆って後蓋１００に固定されるようになっており、この保護カバー４０の上縁部、および下縁部には、同保護カバー４０を後蓋に、４本のネジ４２によりネジ止めするためのネジ穴４２ａと、前記圧板１をカメラ本体側に向けて付勢するための４本の押圧用コイルバネ４３の配設穴４３ａがそれぞれ配設されている。
【００２２】
そして、この保護カバー４０の上端縁、および下端縁には、カメラ本体側に向けてコの字状に折り曲げられた圧板保持用の係止部４１が４隅に形成されている。即ち、この係止部４１は、部分拡大図に示すように、保護カバー４０の同一平面上に突出したのち、カメラ本体側に水平に折り曲げられた面４１ｂと保護カバーに平行な面４１ａとを有するようにコの字状に折り曲げられて形成されている。
【００２３】
上記圧板１には、その上端縁部、および下端縁部の、上記保護カバー４０の係止部４１に対応する位置に、圧板１と同一平面上にフィルム幅方向に突出して形成された第１の被係止部２が圧板１の略四隅に形成されている。さらに、この第１の被係止部２のうち対角上にある２つの第１の被係止部２の側近に形成され、圧板１と同一平面上に上記第１の被係止部よりもフィルム幅方向に突出している第２の被係止部３が設けられている。
【００２４】
上記構成部材を有する上記圧板支持装置１０は、前記ゴム枠１１５と、前記フィルムパトローネ確認用窓１１４と、前記フィルムパトローネ確認用窓１１４の遮光部材１１３と、前記表示用ＬＣＤ３１と、前記ＬＣＤ窓用遮光部材１１２と、前記ガイドローラ支持板１１１と、前記ガイドローラ１１０とが上記後蓋１００の内面にそれぞれ装着された後、上記ＦＰＣ３０が重畳され、このＦＰＣ３０を覆うようにして上記圧板１が取り付けられた上記保護カバー４０が重畳される構成となっている。
【００２５】
次に、以上のような構成を有する上記圧板装置１０における上記圧板１の組み付けについて詳細に説明する。
【００２６】
（１）まず、前記圧板１を上記保護カバー４０に対し、フィルム走行方向に沿って保護カバー４０の外表面上に移動させ、同圧板１の上端縁部、および下端縁部の４箇所に形成された第１の被係止部２を、保護カバー４０の４箇所に形成された前記コの字状の係止部４１に係止させる。これにより、上記保護カバー４０の係止部４１により圧板１は支持され、保護カバー４０と平行な面４１ａにより圧板１の板厚方向に対する移動が規制される。
【００２７】
（２）また、圧板１のフィルム給送方向の移動は、前記第１の被係止部２の側近に形成された第２の被係止部３の一側面が係止部４１の一側面に当接することにより停止され、これにより圧板１の配設位置が規定される。この状態で圧板１は保護カバー４０に対し、圧板１の板厚方向とフィルム給送方向における一方向への移動が規制された状態となる。
【００２８】
（３）次に、圧板１を平面状に保持するための押圧用の４本のコイルバネ４３を、前記後蓋１００に配設されたコイルバネ配置用穴１１７の４箇所に配置する。
【００２９】
（４）次いで、圧板１を支持した保護カバー４０に穿設されているコイルバネ配設穴４３ａに上記コイルバネ４３を挿通し、前記ＦＰＣ３０を覆うようにして、保護カバー４０を４本のネジ４２により後蓋１００に固定する。すると、上記コイルバネ４３は、その伸張弾力により圧板１の４隅を押圧し、圧板１にフィルム背面を押圧する付勢力を付与する。
【００３０】
（５）また、前記後蓋１００にカメラ本体側に突出して２箇所形成された前記圧板規制用凸部１０１に、前記第２の被係止部３の他側面が当接して係止する。このように前記第２の被係止部３の一側面が、前記係止部４１に当接して、フィルム走行方向の移動が規制され、前記第２の被係止部３の他側面が、前記凸部１０１に当接して、フィルム走行方向に対して逆方向の移動が規制される。
【００３１】
このようにして、上記圧板支持装置１０を上記後蓋１００へ装着した状態を図３に示す。また、図４は、上記圧板１が上記保護カバー４０に支持され、上記後蓋１００の凸部１０１により位置規制された状態を拡大して示した斜視図である。
【００３２】
このように圧板１のフィルム給送方向における一方向への移動の規制を保護カバー４０に設けた係止部４１にて行い、他方向への移動の規制を後蓋内枠１１８に設けた凸部１０１にて行うことにより、単純な部品形状にて圧板１の位置規制を行うことが可能となっている。また、圧板１を保護カバー４０にスライド移動させて組付ける際にはコイルバネ４３のバネ力が圧板１は付与されていないため、圧板１を組付け時に変形させる虞もない。
【００３３】
図５は、上記図１中のＶ−Ｖ’線に沿う断面図であり、図６はカメラ本体に形成された、前記コの字状係止部４１の逃げ部の拡大断面図である。
【００３４】
図５に示すように、前記カメラ本体９０の長手方向の中央には、撮影レンズ鏡筒の収納部１２９が形成されていて、この収納部１２９には、カメラ本体に固定される固定枠１４２と、この固定枠１４２の内側に配される撮影レンズ繰り出し用カム筒１３７、撮影レンズ群１３１を保持するレンズ筒１３８、このレンズ筒１３８を直進ガイドするためのフロートキー１４１などからなる撮影レンズ鏡筒１３９が配設されており、撮影レンズ鏡筒１３９の一側方には、フィルムパトローネ１３０の収納室が配設されている。また、このパトローネ１３０の収納室の外側にはストロボ用メインコンデンサ１２８が配設されている。一方、レンズ鏡筒１３９の他側方にはフィルム巻取室が配設されていて、その中央には巻取り軸１３６と同軸内に配設されたフィルム巻取り用モータ１３５とが配置されている。また、前記フィルム巻取り軸１３６の外周面の一部には、フィルムをスプールに案内するための前記フィルムガイドローラ支持板１１１に支持された前記ガイドローラ１１０が圧接している。
【００３５】
また、前記カメラ本体の前面側には、カメラ本体９０の被写体側を覆う前カバー１２７が配設され、前記撮影レンズ鏡筒１３９の前面側には撮影レンズを保護するためのバリア１３４が配設されている。このバリア１３４は、一端側に配設された、バリアロック付勢バネ１３２とバリアロック用ボール１３３からなるクリックストップ機構によりカメラの使用状態に応じ、一側方、または他側方に開閉自在にスライドした位置に静止される。
【００３６】
さらに、前記撮影レンズ鏡筒１３９の後方に形成されたアパーチャに対向する位置には、前記圧板１と前記保護カバー４０とからなる前記圧板支持装置１０が配設され、その後方には前記ＬＣＤ窓用遮光部材１１２と、表示ＬＣＤ３１と、表示用ＬＣＤ窓１１９と、各種設定モード選択釦１２０とが配設され、後蓋１００の左側方には、フィルムパトローネ確認用窓１１４がそれぞれ前記図２で詳細に説明したように設けられている。
【００３７】
ここで、前記圧板支持装置１０を上述したように後蓋１００の内面に配設すると、後蓋１００を閉じたとき、前記保護カバー４０のコの字状の係止部４１がカメラ本体９０側に突出してしまい、前記カメラ本体９０に当接してしまう。そこで、本発明では、図６に示すように、カメラ本体９０に、前記保護カバー４０に形成された前記コの字型係止部４１が突入する逃げ部１４０を形成している。これにより、前記コの字型係止部４１と前記カメラ本体９０とが当接する不具合を解消している。
【００３８】
図５に戻り、上記後蓋１００は、前記カメラ本体９０の側面に配設された後蓋開放釦１２２により、フィルムを挿脱するための開口を開閉することができる。
【００３９】
また、上記後蓋１００の左方には、本カメラを駆動するための電源電池１２４と、前記電池室開閉蓋１２３が配設されており、前記電源電池１２４は、電池蓋１２３を開閉することにより挿脱することができる。
【００４０】
さらに、前記前カバー１２７の後方には、前記後蓋１００を回動可能に軸支する後カバー１２６が配設されている。なおこの後カバー１２６は、表面を金属製の飾り板で覆われ、内側は樹脂材料にて形成されている。
【００４１】
図７は、前記図１中のＶＩＩ−ＶＩＩ’線に沿う断面図である。
この図７は、前記保護カバー４０を前記後蓋１００に固定する場合の固定方法を説明したものである。
【００４２】
図７に示すように、カメラ本体９０の撮影者側には、前記後蓋１００と前記後蓋内枠１１８と前記ＦＰＣ３０と前記保護カバー４０とが前述した順に重畳されて配設されており、前記ＦＰＣ３０は前記保護カバー４０によって覆われ、保護カバー４０に挿通された前記ネジ４２が、前記後蓋内枠１１８に穿設された前記ネジ穴１１６に挿入され、同ネジ穴の背面側に固設された金属ナット１５１に螺合されることにより、保護カバー４０は固定されている。
【００４３】
次に、図８〜図１０により、前記保護カバー４０を前記後蓋１００に締結する方法を説明すると、図８は、ナットを用いない従来の締結方法を示したものであり、図９は、本発明における締結方法を詳細に示したものであって、図１０はナットの形状を示した拡大斜視図である。
【００４４】
図８に示すように、従来は、前記後蓋１００に前記保護カバー４０を固定する場合、後蓋内枠１１８に穿設されたねじ穴１５５に、例えばＭ１．６のタップタイトネジ１５３をねじ込んで締結している。しかし、この場合、過度の締結力が前記タップネジ１５３に付与されると、前記後蓋内枠１１８のねじ穴１５５が破損されて、締結力が損なわれてしまう虞があるため、ネジ穴１５５の深さは、例えばｔ２＝２．５ｍｍ以上に形成されている。従って、後蓋内枠１１８の厚さが厚くなり、カメラを大型化することになる。
【００４５】
そこで、本発明においては、図９に示すように、前記後蓋内枠１１８に穿設されたネジ穴１１６に、図１０に示すような、例えば厚さｄ＝０．７ｍｍの金属ナット１５１を埋設したネジ穴１５４を形成し、前記金属ナット１５１に例えばＭ１．６のネジ４２を螺合させて締結させるようにしている。このようにすると、前記ネジ４２は前記金属ナット１５１にねじこまれるため、ねじ４２のネジ穴深さは、例えばｔ１＝１．７ｍｍに形成することができる。
【００４６】
このように本発明のフィルム圧板支持装置においては、前記後蓋１００に前記保護カバー４０を固定する場合、前記後蓋内枠１１８に穿設されたネジ穴１１６に、前記金属ナット１５１を固設したため、前記ネジ４２を嵌入させて、締結させる場合、前記ネジ４２のネジ穴深さを浅く形成することができるので、圧板支持装置全体の厚さ方向の寸法を薄くすることができる。
【００４７】
また、前記金属ナット１５１は、前記後蓋内枠１１８に埋設されているため、ネジを締結させるさい、前記金属ナット１５１を手で押えることがなく、締結することができるので、組み立て作業の効率化を図ることができる。
【００４８】
なお、金属ナット１５１を後蓋内枠１１８に対し必ずしも固定する必要はなく、金属ナット１５１の外形に合うように穿設された凹部に金属ナット１５１を落とし込んだ状態で、後蓋内枠１１８と後蓋１００とを接着固定して、後蓋１００と後蓋内枠１１８との間に配しておくだけでもネジ４２を締めこむことが出来る。
【００４９】
このように構成された本発明の一実施形態の圧板支持装置においては、前記圧板１を前記後蓋１００へ取り付ける場合に、前記圧板１の上端縁、および下端縁に、前記圧板１と同一平面状にフィルム幅方向に突出して形成した前記第１の被係止部２と、この第１の被係止部２の側近に形成され、前記圧板１と同一平面状にフィルム幅方向に突出して形成された前記第２の被係止部３とが、前記保護カバー４０に形成されたコの字型係止部４１、および、前記後蓋１００に、突出して形成された前記凸部１０１によって係止されるため、圧板の取り付け支持が簡単にできる。
【００５０】
また、前記圧板１に形成された前記第１被係止部２と前記第２の被係止部３は、前記圧板１と同一平面状に形成されているため、前記圧板１を形成する場合、平面に加工することが容易となり、前記圧板１の平面精度を高めることができ、また製造コストの低減を図ることが出来る。
【００５１】
さらに、前記圧板１を押圧付勢する手段として、４本の前記コイルバネ４３を使用して圧板１の４隅を押圧しているため、保護カバー４０の表面を大きく確保することができ、前記圧板支持装置１０における、保護カバー４０と後蓋１００との間に配設されるＬＣＤやＦＰＣ３０等の電気部品の電装スペースを大きく確保することができる。
【００５２】
［付記］
以上詳述した本発明の実施形態によれば、以下の如き構成を得ることができる。即ち、
（１）　フィルムを挿脱するための開口を開閉するための後蓋と、
上記後蓋に保持される電気部品と、
上記電気部品を覆う、金属板からなる保護カバーと、
上記保護カバーに支持され、一平面で形成された板状の圧板と、
上記圧板を上記保護カバーから離間する方向に付勢し、フィルムを押圧する方向に付勢するコイルばねと、
上記後蓋に設けられ上記コイルバネを保持するばね保持部と、
上記保護カバーの端部から突出し、コの字状に屈曲して形成され、上記圧板の端縁部と係合し、圧板を支持する係止部と、
上記保護カバーに穿設され、上記コイルばねが挿通する孔部と、
上記圧板の端縁部から上記一平面上で突出し、上記圧板をフィルム面に沿う方向から組付けたさいに上記係止部と係合する第１の被係止部と、
上記第１の被係止部の近傍に、上記圧板の端縁部から一平面上に突出し、上記係止部の側面と当接することにより、上記圧板のフィルム面に沿う方向の位置を規定する第２の被係止部と、
を具備することを特徴とするカメラのフィルム圧板支持装置。
【００５３】
（２）　上記係止部は、上記圧板よりもカメラ本体側に突出しており、上記後蓋を閉じた状態で上記係止部が収容される逃げ部をカメラ本体に形成したことを特徴とする付記１に記載のカメラのフィルム圧板支持装置。
【００５４】
（３）　カメラ本体に開閉自在に取り付けられていて、フィルムを挿脱するための開口を開閉する後蓋と、
この後蓋に保持された電気部品を覆い、上下の端縁部に圧板支持用の係止部が形成された保護カバーと、
一平面状の板状に形成されていて、上記圧板支持用の係止部に係止される第１の被係止部とこの第１の被係止部の側近に形成され上記係止部の側面に当接して配設位置を規定する第２の被係止部とを有し、上記保護カバーに対し、フィルム走行方向から組み付けられる圧板と、
この圧板を上記保護カバーから離間し、フィルム面を押圧する方向に付勢する付勢手段と、
を具備することを特徴とするカメラのフィルム圧板支持装置。
【００５５】
（４）　カメラの後蓋の内面に、該後蓋と一体的に取り付けられた合成樹脂製の板状の遮光部材と、
この遮光部材に穿設された保護カバー固定用のネジ孔と、
このネジ孔の後蓋側に埋設された金属製のナットと、
からなり、上記保護カバーを挿通した固定用のネジを上記ナットにねじ込むことによって保護カバーを後蓋に固定するようにしたことを特徴とするカメラのフィルム圧板支持装置。
【００５６】
【発明の効果】
以上説明したように本発明によれば、カメラの後蓋に圧板を支持する際、常に平面性を保持することができ、また、カメラの後蓋に装着される表示用ＬＣＤ、およびＦＰＣ等の電装部品を配置する電装スペースを大きく確保することができ、さらに、圧板支持装置全体の厚さ方向の寸法を小さくすることができるカメラのフィルム圧板支持装置を提供できる。
【図面の簡単な説明】
【図１】フィルム圧板支持装置を有するカメラを背面から見た斜視図、
【図２】本発明の一実施の形態を示すフィルム圧板支持装置の分解斜視図、
【図３】本発明の一実施の形態を示すフィルム圧板支持装置を装着した後蓋の正面図、
【図４】上記図３の圧板支持装置における後蓋と保護カバーと圧板の係止状態を示した要部拡大斜視図、
【図５】上記図１中のＶ−Ｖ’線に沿うカメラ本体の断面図、
【図６】カメラ本体に形成された逃げ部の拡大断面図、
【図７】上記図１中のＶＩＩ−ＶＩＩ’線に沿うカメラ本体の断面図、
【図８】タップタイトネジを用いて保護カバーを後蓋に締結する従来の方法を示した要部拡大断面図、
【図９】本発明の一実施の形態を示す圧板支持装置における金属ナットを用いて保護カバーを後蓋に締結する方法を示した要部拡大断面図、
【図１０】上記図９における金属ナットの形状を示す斜視図、
【図１１】従来の圧板支持装置の一例を示す分解斜視図、
【図１２】従来の圧板支持装置の他の例を示す分解斜視図。
【符号の説明】
１…フィルム圧板
２…第１の被係止部
３…第２の被係止部
３０…フレキシブルプリント配線基板（ＦＰＣ）（電気部品）
３１…表示用ＬＣＤ（電気部品）
４０…保護カバー
４１…コの字型係止部
４３…コイルバネ（付勢手段）
９０…カメラ本体
１００…後蓋
１４０…逃げ部
【図１】
2004020753.tif 000003
【図２】
2004020753.tif 000004
【図３】
2004020753.tif 000005
【図４】
2004020753.tif 000006
【図５】
2004020753.tif 000007
【図６】
2004020753.tif 000008
【図７】
2004020753.tif 000009
【図８】
2004020753.tif 000010
【図９】
2004020753.tif 000011
【図１０】
2004020753.tif 000012
【図１１】
2004020753.tif 000013
【図１２】
2004020753.tif 000014